(57)【要約】【課題】入浴者が浴槽に入った際に感覚的に広く感じることができるような浴槽を提供する。【解決手段】浴槽１は、浴槽１を設置した状態の平面視で略方形の外形を有し、中央に湯水貯留部４０を備えている。湯水貯留部４０は、浴槽１を設置した状態の平面視で浴槽１の側辺２３に沿って延伸し外側に凸に湾曲した第１の貯留上限ラインＡ１を有する。側辺２３に沿った方向の第１の貯留上限ラインＡ１の外側には、当該貯留上限ラインＡ１よりも低いコーナー部５０、５３が設けられている。【選択図】図２
2020031976.tif 000002
【特許請求の範囲】
【請求項１】
浴槽を設置した状態の平面視で略方形の外形を有し、湯水貯留部を備えた浴槽であって、
前記湯水貯留部は、浴槽を設置した状態の平面視で浴槽の少なくとも一つの側辺に沿って延伸し外側に凸に湾曲した貯留上限ラインを有し、
前記側辺に沿った方向の貯留上限ラインの外側には、当該貯留上限ラインよりも低いコーナー部が設けられている、浴槽。
【請求項２】
浴槽を設置した状態の平面視で、前記貯留上限ラインが前記コーナー部の外形ラインと同程度かそれよりも外側に張り出している、請求項１に記載の浴槽。
【請求項３】
前記コーナー部は、前記側辺の外形ライン側が低くなるように傾斜している、請求項１又は２に記載の浴槽。
【請求項４】
前記コーナー部は、前記側辺における外形ラインを形成する外縁部を有し、
前記外縁部は、前記側辺に沿った方向に対し垂直の縦断面が浴槽に対し外側に凸に湾曲する湾曲上面を有している、請求項１〜３のいずれか１項に記載の浴槽。
【請求項５】
前記湯水貯留部は、全周にわたる貯留上限ラインから底に向けて形成された、内側に凸の湾曲内面を有し、
前記外側に凸に湾曲した貯留上限ラインを有する前記側辺の湾曲内面の曲率半径は、他の少なくとも一つ側辺の湾曲内面の曲率半径よりも大きい、請求項１〜４のいずれか１項に記載の浴槽。
【請求項６】
前記湯水貯留部の全周にわたる貯留上限ラインにおいて、前記外側に凸に湾曲した前記側辺の貯留上限ラインは、浴槽を設置した状態の平面視で浴槽側面に最も近い部分を有する、請求項１〜５のいずれか１項に記載の浴槽。
【発明の詳細な説明】
【技術分野】
【０００１】
本発明は、浴槽に関する。
【背景技術】
【０００２】
浴槽は、入浴者がくつろげるように可能な限り広くしたい。そこで、浴槽の一部を外側
に突出させ浴槽の容積を物理的に広げることが提案されている（特許文献１参照）。
【先行技術文献】
【特許文献】
【０００３】
【特許文献１】特開２００２−１２５８７６号公報
【発明の概要】
【発明が解決しようとする課題】
【０００４】
しかしながら、上述のような浴槽は、物理的に広げられない狭い浴室には適用できない。浴室の広狭にかかわらず、入浴者が広く感じられるような浴槽があるとよい。
【０００５】
本出願はかかる点に鑑みてなされたものであり、入浴者が浴槽に入った際に感覚的に広く感じることができるような浴槽を提供することをその目的の一つとする。
【課題を解決するための手段】
【０００６】
本発明の一態様に係る浴槽は、浴槽を設置した状態の平面視で略方形の外形を有し、湯水貯留部を備えた浴槽であって、前記湯水貯留部は、浴槽を設置した状態の平面視で浴槽の少なくとも一つの側辺に沿って延伸し外側に凸に湾曲した貯留上限ラインを有し、前記側辺に沿った方向の貯留上限ラインの外側には、当該貯留上限ラインよりも低いコーナー部が設けられている。
【０００７】
本態様によれば、湯水貯留部の貯留上限ラインが平面視で外側に凸に湾曲し、その貯留上限ラインの側辺に沿った方向の外側のコーナー部が低くなっているので、浴槽内に座り目線が低くなった入浴者から見て、貯留上限ラインが浴槽の外側に広がり、なおかつコーナー部の外形ラインが貯留上限ラインに対し相対的に後退したように見える。この結果、入浴者から見て、貯留上限ラインに沿った水面が浴槽から遠くに広がったように見え、入浴者が浴槽に入った際に浴槽を感覚的に広く感じることができる。
【０００８】
浴槽を設置した状態の平面視で、貯留上限ラインがコーナー部の外形ラインと同程度かそれよりも外側に張り出していてもよい。
【０００９】
コーナー部は、前記側辺の外形ライン側が低くなるように傾斜していてもよい。
【００１０】
コーナー部は、前記側辺における外形ラインを形成する外縁部を有し、前記外縁部は、前記側辺に沿った方向に対し垂直の縦断面が浴槽に対し外側に凸に湾曲する湾曲上面を有していてもよい。
【００１１】
湯水貯留部は、全周にわたる貯留上限ラインから底に向けて形成された、内側に凸の湾曲内面を有し、前記外側に凸に湾曲した貯留上限ラインを有する前記側辺の湾曲内面の曲率半径は、他の少なくとも一つ側辺の湾曲内面の曲率半径よりも大きくてもよい。
【００１２】
湯水貯留部の全周にわたる貯留上限ラインにおいて、前記外側に凸に湾曲した前記側辺
の貯留上限ラインは、浴槽を設置した状態の平面視で浴槽側面に最も近い部分を有していてもよい。
【発明の効果】
【００１３】
本発明によれば、入浴者が浴槽に入った際に感覚的に広く感じることができるような浴槽を提供することができる。
【図面の簡単な説明】
【００１４】
【図１】浴室の構成の一例を示す説明図である。
【図２】浴槽の平面図である。
【図３】図２の浴槽のＥ−Ｅ断面を示す縦断面図である。
【図４】第４のコーナー部の拡大図である。
【図５】図２の浴槽のＦ−Ｆ断面を示す縦断面図である。
【図６】浴槽に入った入浴者から見た浴槽の側辺を示す説明図である。
【発明を実施するための形態】
【００１５】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００１６】
図１は、本実施の形態に係る浴槽１を備えた浴室１０の一例を示す説明図である。図２は、浴槽１の平面図である。
【００１７】
浴槽１は、上面側が開口した略直方体の全体形状を有する。浴槽１は、例えば浴槽１を浴室１０に通常使用のために設置した状態の平面視で（上から見て）略長方形状の外形を有している。浴槽１は、４つの側辺２０〜２３を有している。側辺２０、２２が浴槽１の短辺であり、側辺２１、２３が浴槽１の長辺である（以下、側辺２０、２２を「短辺」ともいい、側辺２１、２３を「長辺」ともいう。）。３つの側辺２０、２１、２２の側面２０ａ、２１ａ、２２ａは、浴室１０の壁３０に面し、残りの一つの側辺２３の側面２３ａが洗い場３１に面している。なお、洗い場３１には、例えば図示しないシャワーや排水口が設けられている。
【００１８】
浴槽１は、例えば中央に位置する湯水貯留部４０と、その周りに位置するフランジ部４１を備えている。
【００１９】
例えば湯水貯留部４０は、浴槽１を設置した状態の平面視でオーバル状の貯留上限ラインＡを有する。貯留上限ラインＡは、環状に形成され、水が溜まる限界水位ラインであって、湯水貯留部４０の外形ラインになっている。湯水貯留部４０は、図２に示す浴槽１の長手方向Ｘの中心を通る幅方向Ｙの中心線Ｌ１に対し左右対称であり、浴槽１の幅方向Ｙの中心を通る長手方向Ｘの中心線Ｌ２に対して左右非対称である。なお、貯留上限ラインＡは、浴槽１のフランジ部４１に滑らかに接続されており、外見上見えなくてもよい。
【００２０】
貯留上限ラインＡは、例えば浴槽１の長辺２３に対応する第１の貯留上限ラインＡ１と、長辺２１に対応する第２の貯留上限ラインＡ２と、短辺２０に対応する第３の貯留上限ラインＡ３と、短辺２２に対応する第４の貯留上限ラインＡ４を有する。各第１〜第４の貯留上限ラインＡ１〜Ａ４は、浴槽１を設置した状態の平面視で浴槽１の外側の凸に湾曲している。
【００２１】
第１の貯留上限ラインＡ１は、浴槽１の洗い場３１側に面し、浴槽１の洗い場３１側の側辺２３に沿って延伸している。第１の貯留上限ラインＡ１は、浴槽１を設置した状態の平面視で洗い場３１側に凸に湾曲し、側辺２３に沿った方向（長手方向Ｘ）中央が最も外側に突出している。第１の貯留上限ラインＡ１の延伸方向（長手方向Ｘ）の中央付近は、外側にフランジ部がなく、浴槽１を設置した状態の平面視で浴槽１の側面２３ａまでの距離が、貯留上限ラインＡの全体の中で最も短くなっている。例えば浴槽１を設置した状態の平面視で第１の貯留上限ラインＡ１と側面２３ａとが最も近づいている中央部分の距離ｔは、０ｍｍ以上５０ｍｍ以下程度に設定されている。
【００２２】
第２の貯留上限ラインＡ２は、第１の貯留上限ラインＡ１に対向する浴槽１の長辺２１側に位置している。第２の貯留上限ラインＡ２は、浴槽１を設置した状態の平面視で浴槽１の外側に湾曲している。第２の貯留上限ラインＡ２は、第１の貯留上限ラインＡ１よりも浴槽１の外側に小さく湾曲している。第３の貯留上限ラインＡ３と第４の貯留上限ラインＡ４は、中心線Ｌ１に対し左右対称に同じ形状を有している。
【００２３】
湯水貯留部４０は、底から全周にわたる貯留上限ラインＡに向けて次第に内径が広がっている。例えば図３に示すように湯水貯留部４０の貯留上限ラインＡ付近には、縦断面が内側に凸に湾曲する湾曲内面Ｂが形成されている。例えば第１の貯留上限ラインＡ１の湾曲内面Ｂ１の曲率半径は、少なくとも第２の貯留上限ラインＡ２の湾曲内面Ｂ２の曲率半径よりも大きく、湾曲内面Ｂ１は、湾曲内面Ｂ２よりも緩やかに拡径している。
【００２４】
フランジ部４１は、図２に示すように浴槽１を設置した状態の平面視で例えば湯水貯留部４０の第１の貯留上限ラインＡ１の中央付近以外の貯留上限ラインＡの周囲を囲んでいる。フランジ部４１は、例えば４つのコーナー部５０、５１、５２、５３と、３つの直線部５４、５５、５６を有している。第１のコーナー部５０と第４のコーナー部５３は、洗い場３１側に位置し、第２のコーナー部５１と第３のコーナー部５２は、洗い場３１の反対側に位置している。第１の直線部５４は、第１のコーナー部５０と第２のコーナー部５１を接続し、第２の直線部５５は、第２のコーナー部５１と第３のコーナー部５２を接続し、第３の直線部５６は、第３のコーナー部５２と第４のコーナー部５３を接続している。これらの隣り合うコーナー部５０〜５３及び直線部５４〜５６は、互いに滑らかに接続されている。なお、第１の貯留上限ラインＡ１の中央付近の外側には、わずかにフランジ部があってもよい。
【００２５】
例えば第１のコーナー部５０及び第４のコーナー部５３は、浴槽１の側辺２３に沿った方向（長手方向Ｘ）の第１の貯留上限ラインＡ１の両側であって、第１の貯留上限ラインＡ１の外側に位置している。なお、本実施の形態において、第１のコーナー部５０及び第４のコーナー部５３は、浴槽１を設置した状態の平面視で側面２３ａの外形ラインＣから、内側方向（幅方向Ｙ）の所定距離までの領域とする。この所定距離は、浴槽１の短辺２０、２２の長さＨ１の１／２０以上１／２未満とする。
【００２６】
浴槽１を設置した状態の平面視で、第１の貯留上限ラインＡ１は、第１のコーナー部５０及び第４のコーナー部５３の側面２３ａの外形ラインＣと同程度かそれよりも外側に張り出している。第１の貯留上限ラインＡ１は、外形ラインＣに対し、好ましくは、１５ｍｍ以上、より好ましくは３５ｍｍ以上張り出している。なお、「同程度」には、コーナー部５０、５３の外形ラインＣと第１の貯留上限ラインＡ１の外側への最突出部との外側方向（幅方向Ｙ）のずれが２ｃｍ以内のものが含まれる。
【００２７】
例えば図４及び図５に示すように第４のコーナー部５３は、第３の直線部５６との境界線Ｄから洗い場３１側（外形ラインＣ）に向かって次第に下がるように傾斜している。これにより、第４のコーナー部５３の表面は、洗い場３１側に水を流す排水勾配になってい
る。第４のコーナー部５３は、第４のコーナー部５３の外形ラインＣを形成する外縁部５３ａを有し、その外縁部５３ａは、その勾配方向（側辺２３の方向）に対し垂直の縦断面形状が洗い場３１側に凸に湾曲する湾曲上面５３ｂを有している。
【００２８】
第４のコーナー部５３は、洗い場３１側に向かって下がっているため、第１の貯留上限ラインＡ１よりも低い。第４のコーナー部５３と第１の貯留上限ラインＡ１との間には、高低差があり、第４のコーナー部５３の第１の貯留上限ラインＡ１に近接した部分には、立ち上がり部７０が形成されている。立ち上がり部７０は第１の貯留上限ラインＡ１に滑らかに接続されている。
【００２９】
第１のコーナー部５０も、第４のコーナー部５３と同様の構成を有し、第１の直線部５４との境界線Ｄから洗い場３１側に向かって次第に下がるように傾斜している。図２に示すように第１のコーナー部５０は、第１のコーナー部５０の側面２３ａの外形ラインＣを形成する外縁部５０ａを有し、外縁部５０ａは、縦断面形状が洗い場３１側の外側に凸に湾曲する湾曲上面５０ｂを有している。第１のコーナー部５０の第１の貯留上限ラインＡ１に近接した部分には、立ち上がり部７０が形成されている。
【００３０】
第１の直線部５４は、第３の貯留上限ラインＡ３の外側に位置し、第２のコーナー部５１、第２の直線部５５及び第３のコーナー部５２は、第２の貯留上限ラインＡ２の外側に位置し、第３の直線部５６は、第４の貯留上限ラインＡ４の外側に位置している。
【００３１】
これらの第１の直線部５４、第２のコーナー部５１、第２の直線部５５、第３のコーナー部５２及び第３の直線部５６の表面には、湯水貯留部４０内に向かって水を流す排水勾配が形成されている。この排水勾配は、湯水貯留部４０に向かって次第に下がり、湯水貯留部４０の湾曲内面Ｂの貯留上限ラインＡに滑らかに接続されている。
【００３２】
本実施の形態によれば、湯水貯留部４０が、浴槽１を設置した状態の平面視で浴槽１の側辺２３に沿って延伸し浴槽１の外側に凸に湾曲した第１の貯留上限ラインＡ１を有し、その側辺２３に沿った方向の第１の貯留上限ラインＡ１の外側には、当該第１の貯留上限ラインＡ１よりも低いコーナー部５０、５３が設けられている。これにより、例えば図６に示すように入浴者が浴槽１内に入り目線が下がった際に、第１の貯留上限ラインＡ１が浴槽１の外側に大きく張り出し、さらに入浴者の目線から遠い例えば第４のコーナー部５３の外形ラインＣが第１の貯留上限ラインＡ１に対し相対的に後退しているように見える。また、場合によって第４のコーナー部５３の外形ラインＣは、入浴者から見えなくなる。これにより、入浴者から見て第１の貯留上限ラインＡ１に沿った水面Ｇが遠くまで広がっているように見え、入浴者が浴槽１に入った際に浴槽１を感覚的に広く感じることができる。
【００３３】
浴槽１を設置した状態の平面視で、第１の貯留上限ラインＡ１がコーナー部５０、５３の外形ラインＣと同程度かそれよりも外側に張り出しているので、入浴者が浴槽１内に入り目線が下がった際に、第１の貯留上限ラインＡ１がさらに浴槽１の外側に張り出しているように見える。これにより、入浴者から見て第１の貯留上限ラインＡ１に沿った水面Ｇがさらに遠くまで広がっているように見え、入浴者が浴槽１に入った際に浴槽１をより広く感じることができる。
【００３４】
コーナー部５０、５３は、側辺２３の外形ラインＣ側が低くなるように傾斜している。これにより、浴槽１に入った入浴者から見て、コーナー部５０、５３の外形ラインＣが第１の貯留上限ラインＡ１に対し相対的にさらに後退しているように見える。これにより、第１の貯留上限ラインＡ１に沿った水面Ｇがさらに浴槽１の外側に広がっているように見える。
【００３５】
コーナー部５０、５３は、側辺２３における外形ラインＣを形成する外縁部５０ａ、５３ａを有し、外縁部５０ａ、５３ａは、側辺２３の方向に対し垂直の縦断面が外側に凸に湾曲する湾曲上面５０ｂ、５３ｂを有している。かかる場合、浴槽１に入った入浴者から見て、コーナー部５０、５３の外縁部５０ａ、５３ａが第１の貯留上限ラインＡ１に対し相対的にさらに後退しているように見える。これにより、第１の貯留上限ラインＡ１に沿った水面Ｇがさらに浴槽１の外側に広がっているように見える。また、外縁部５０ａ、５３ａが湾曲していることから、入浴者から見て外縁部５０ａ、５３ａとその外側空間との境界があいまいに見え、これにより、第１の貯留上限ラインＡ１が強調され、水面Ｇの広がりが強調される。この結果、水面Ｇがさらに浴槽１の外側に広がっているように見える。
【００３６】
湯水貯留部４０は、全周にわたる貯留上限ラインＡから底に向けて形成された、内側に凸の湾曲内面Ｂを有し、第１の貯留上限ラインＡ１の側辺２３の湾曲内面Ｂ１の曲率半径が、第２の貯留上限ラインＡ２の湾曲内面Ｂ２の曲率半径よりも大きい。これにより、第１の貯留上限ラインＡ側において水面Ｇと湾曲内面Ｂ１とがなす角度α（図３に示す）が１８０度により近くなり、水面Ｇと浴槽１の内面との境が見えにくくなるので、これによっても入浴者から見て水面Ｇが広がっているように見える。
【００３７】
湯水貯留部４０の全周にわたる貯留上限ラインＡにおいて、第１の貯留上限ラインＡ１は、浴槽１を設置した状態の平面視で浴槽１の側面２３ａに最も近い部分を有する。これにより、浴槽１に入った入浴者から見て、第１の貯留上限ラインＡ１のある浴槽１の縁が強調されないので、第１の貯留上限ラインＡ１に沿った水面Ｇが境界なく広がっているように見える。
【００３８】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３９】
例えば浴槽１は、上記実施の形態のものに限られず、他の構造や形状を有する浴槽にも本発明は適用できる。例えば浴槽の形状は、浴槽を設置した状態の平面視で長方形である必要はなく、正方形、台形などであってもよい。また浴槽の平面視の略方形の外形には、コーナー部の角の外形が湾曲しているものも含まれる。また例えば上記実施の形態では、第１の貯留上限ラインＡ１の両側のコーナー部５０、５３が第１の貯留上限ラインＡ１に対し低くなっていたが、コーナー部５０又はコーナー部５３のいずれか一方のみが第１の貯留上限ラインＡ１に対し低くなっていてもよい。また、コーナー部５０、５３は、外形ラインＣ側が低くなるように傾斜していたが、水平であってもよい。さらに、コーナー部５０、５３の外縁部５０ａ、５３ａが湾曲上面５０ｂ、５３ｂを有していたが、上面が湾曲していなくてもよい。
【００４０】
上記実施の形態では、浴槽１が第１の貯留上限ラインＡ１のある側辺２３において入浴者が広く感じるための構成を有していたが、他の貯留上限ラインのある側辺も同様の構成を有していてもよい。例えば他の側辺の貯留上限ラインＡ（第２の貯留上限ラインＡ２、第３の貯留上限ラインＡ３、第３の貯留上限ラインＡ４）が浴槽１を設置した状態の平面視で浴槽１の外側に凸に湾曲し、その貯留上限ラインの側辺に沿った方向の外側に、その貯留上限ラインよりも低いコーナー部が設けられていてもよい。すなわち、第２の貯留上限ラインＡ２に対し第２のコーナー部５１と第３のコーナー部５２が低くなり、第３の貯留上限ラインＡ３に対し第１のコーナー部５０及び第２のコーナー部５１が低くなり、第４の貯留上限ラインＡ４に対し第３のコーナー部５２及び第４のコーナー部５３が低くな
っていてもよい。
【産業上の利用可能性】
【００４１】
本発明は、入浴者が浴槽に入った際に感覚的に広く感じることができるような浴槽を提供する際に有用である。
【符号の説明】
【００４２】
１  浴槽
１０  浴室
２３  側辺
３１  洗い場
４０  湯水貯留部
４１  フランジ部
５０〜５３  コーナー部
Ａ  貯留上限ライン
Ａ１  第１の貯留上限ライン
Ｃ  コーナー部の外形ライン
Ｄ  境界線
【図１】
2020031976.tif 000003
【図２】
2020031976.tif 000004
【図３】
2020031976.tif 000005
【図４】
2020031976.tif 000006
【図５】
2020031976.tif 000007
【図６】
2020031976.tif 000008